(57)【要約】      （修正有）【課題】ディスプレイの画像表示方法及びディスプレイを提供する。【解決手段】ディスプレイの画素配列は、複数の基本画素ユニットが水平方向、及び垂直方向に沿って繰り返されることにより構成され、画素配列は、少なくとも２つの異なる画素の画素空間に位置するサブピクセルを有し、且つ、第１の色の第１のサブピクセル、第２の色の第２のサブピクセル、及び第３の色の第３のサブピクセルを含む。表示方法は、画像において各色が存在する位置及び表示に必要な階調値を示す第１のデータをそれぞれ獲得するステップと、各色の画素配列における各画素が占められる空間割合を示す第２のデータをそれぞれ獲得するステップと、各画素に含まれる各サブピクセルに対して、第１のデータ及び第２のデータに基づいて、画素の各サブピクセルの画素配列における表示階調値を示す第３のデータを獲得して画像表示を行うステップとを含む。【選択図】図１６
2016186629.tif 000002
【特許請求の範囲】
【請求項１】
画素領域、及び非画素領域を有する基底と、
画素領域に位置し、第１の電極、有機薄層、及び第２の電極を含む有機発光ダイオードと、
有機発光ダイオードを駆動するための駆動部とを含み、
前記画素領域の画素配列は、複数の基本画素ユニットが水平方向、及び垂直方向に沿って繰り返されることにより構成され、前記画素配列は、少なくとも２つの異なる画素の画素空間にあるサブピクセルを有し、且つ、第１の色の第１のサブピクセル、第２の色の第２のサブピクセル、及び第３の色の第３のサブピクセルを含むディスプレイであって、
前記駆動部は、
前記ディスプレイに表示しようとするカラー画像を示す画像信号を入力するための入力ユニットと、
前記画像において各色が存在する位置及び表示に必要な階調値を示す第１のデータをそれぞれ獲得し、さらに各色の前記画素配列における各画素が占められる空間割合を示す第２のデータをそれぞれ獲得し、各前記画素に含まれる各前記サブピクセルに対して、前記第１のデータ及び前記第２のデータに基づいて、前記画素の各前記サブピクセルの前記画素配列における表示階調値を示す第３のデータを得るサブピクセル表示ユニットと、
前記第３のデータに基づいて生成された複数の電気信号を前記ディスプレイに出力するための出力ユニットとを含むことを特徴とするディスプレイ。
【請求項２】
前記第１の色、第２の色、及び第３の色は、それぞれ赤色、青色、緑色であることを特徴とする請求項１に記載のディスプレイ。
【請求項３】
前記画素配列は、ｄｅｌｔａ画素配列によるものであることを特徴とする請求項２に記載のディスプレイ。
【請求項４】
前記基本画素ユニットは、２行３列の６つの画素を含むと共に、４つのサブピクセル列を有することを特徴とする請求項１に記載のディスプレイ。
【請求項５】
前記基本画素ユニットは、第１行における左から右に配列される第１の画素、第２の画素、及び第３の画素と、第２行における左から右に配列される第４の画素、第５の画素、及び第６の画素とを含み、第２の画素〜第５の画素は２つの隣り合う水平行にそれぞれ位置する異色のサブピクセルにより構成され、第１の画素及び第６の画素は同一列にそれぞれ位置するが１つの水平行を間隔する異色のサブピクセルにより構成されることを特徴とする請求項４に記載のディスプレイ。
【請求項６】
前記第２のデータは、割合マトリクスであり、各基本画素ユニットに対して、前記基本画素ユニットに対応する前記第２のデータを確定する場合、前記基本画素ユニットの各画素のために１つの割合ベクトルを確定して、前記割合ベクトルに基づいて前記割合マトリクスを確定することを特徴とする請求項２に記載のディスプレイ。
【請求項７】
前記画素の前記割合ベクトルは、第１のサブピクセル、第２のサブピクセル、及び第３のサブピクセルの前記画素における割合係数をそれぞれ示す３つの分量を有し、前記割合マトリクスを得るように、各前記割合ベクトルにおける同一位置の前記分量をそれぞれ獲得することを特徴とする請求項６に記載のディスプレイ。
【請求項８】
前記割合マトリクスを獲得した後、前記基本画素ユニットにおける各サブピクセルは、当該サブピクセルが存在する画素の表示に必要な階調値に前記割合マトリクスにおいて対応するマトリクス要素値をそれぞれかけて、当該サブピクセルの前記画素配列における表示階調値を獲得することを特徴とする請求項７に記載のディスプレイ。
【請求項９】
前記色のサブピクセルの全体が１つの前記画素の画素空間に位置する場合，前記画素における前記色のサブピクセルの前記割合係数が「１」に設定され、前記色のサブピクセルが前記画素の画素空間に位置しない場合、前記画素における前記色のサブピクセルの前記割合係数が「０」に設定されることを特徴とする請求項７に記載のディスプレイ。
【請求項１０】
前記色のサブピクセルの大部分が前記画素の画素空間に位置する場合、前記画素における前記色のサブピクセルの前記割合係数が０．５より大きい第１の割合係数であり、前記色のサブピクセルの小部分が前記画素の画素空間に位置する場合、前記画素における前記色のサブピクセルの前記割合係数が０．５より小さい第２の割合係数であり、前記第１の割合係数と第２の割合係数との和が１であることを特徴とする請求項９に記載のディスプレイ。
【請求項１１】
前記第１の割合係数は、０．７に設定されることを特徴とする請求項１０に記載のディスプレイ。
【請求項１２】
前記色のサブピクセルの一部分が前記画素の画素空間に位置する場合、前記画素における前記色のサブピクセルの前記割合係数が０．５に設定されることを特徴とする請求項７に記載のディスプレイ。
【発明の詳細な説明】
【技術分野】
【０００１】
本発明は、表示技術分野に関し、特にディスプレイの画像表示方法、及びディスプレイに関する。
【背景技術】
【０００２】
アクティブマトリクス式有機発光ダイオード（以下、ＡＭＯＬＥＤと略称する）は、新世代のディスプレイである。伝統的な画素配列の画素ユニットは、赤、緑、青の３つのサブピクセルからなる。しかし、現在のＡＭＯＬＥＤの画素配列の設計は、サブピクセルの数量を減少する傾向がある。よって、画素配列の個別画素（画素ドットや画素ユニットとも称する）は、赤、緑、青の３つのサブピクセルからなることではない。
【０００３】
図１の画素配列は、Ｄｅｌｔａ配列によるものであり、その行周期が２であり、列周期が３である。当該画素配列の画素は、赤と緑、赤と青、又は、緑と青等の異なる方式によって構成されてもよい。
【０００４】
三原色の場合こそ、すべての色を再現することができることはよく知られており、２種類の色によってはすべての色を再現することが不可能であるため、実際に画像を表示する場合、１つの画素は、それと隣り合う画素から他の１種類の色を「借」用することにより、三原色を構成し、即ち、表示するように画素補償を行う必要がある。
【０００５】
従来ディスプレイの表示方法では、使用される画素補償アルゴリズムは、「隣り合う画素の借用方法」であり、即ち、水平方向や垂直方向において、各画素ユニットとそれに隣り合う画素ユニットは、自分自身が備えていない色のサブピクセルを共用して、白色を表示する効果を達成する。「隣り合う画素の借用方法」の具体的なステップは、以下の通りである。
【０００６】
なお、以下の説明において、Ｒ′は、表示待機ピクチャにおけるある画素の実際な階調値であり、Ｒ′′は、Ｄｅｌｔａ画素配列において対応する画素が表示すべき階調値であり、Ｒは、Ｄｅｌｔａ画素配列における最終表示の階調値である。
【０００７】
図１における画素Ｐｉｘｅｌ（２、２）を例として、当該画素は、Ｇ、Ｂの２種のサブピクセルのみを備え、欠ける赤色Ｒ′（２、２）は、隣り合う左右両方の画素における赤色Ｒ（２、１）及びＲ（２、３）中の０．５ＲＲｅａｌで表示する。
【０００８】
Ｒ′′（２、１）＝Ｒ′（２、１）＋１／２Ｒ′（２、２）。
Ｒの面積がＲ′の面積の１．５倍であるため、同じ表示効果を得る場合、Ｒの階調値は、１．５を減少できる。
【０００９】
【数１】
2016186629.tif 000003
【００１０】
しかしながら、上記補償アルゴリズムに基づく従来技術の表示方法を使用して得られた画像品質は、図２〜図５に示すように、画面エッジがぼんやりし、飽和度が良くないという技術問題が存在する。
【００１１】
そして、上記補償アルゴリズムを応用する従来技術の表示方法は、例えば、主文字表示を主とする応用や、画像表示を主とする応用などのディプレイ応用の異なる状況を区別・対応できないため、それぞれの満足な表示効果を得られない。
【発明の概要】
【発明が解決しようとする課題】
【００１２】
本発明は、従来技術に存在する上記の問題を解消するためになされたものであり、その目的は、ディスプレイの画像表示方法を提供することである。
【課題を解決するための手段】
【００１３】
本発明のもう一つの目的は、ディスプレイを提供することである。
本発明の上記発明目的は、以下の技術案により実現する。
【００１４】
本発明の第１の態様に係る画像をディスプレイに表示するための表示方法であって、
前記ディスプレイの画素配列は、複数の基本画素ユニットが水平方向、及び垂直方向に沿って繰り返されることにより構成され、前記画素配列は、少なくとも２つの異なる画素の画素空間に位置するサブピクセルを有し、且つ、第１の色の第１のサブピクセル、第２の色の第２のサブピクセル、及び第３の色の第３のサブピクセルを含み、
前記表示方法は、
前記画像における各色が存在する位置及び表示に必要な階調値を示す第１のデータをそれぞれ獲得するステップと、
各色の前記画素配列における各画素で占められる空間割合を示す第２のデータをそれぞれ得るステップと、
各前記画素に含まれる各前記サブピクセルに対して、前記第１のデータ及び前記第２のデータに基づいて、前記画素の各前記サブピクセルの前記画素配列における表示階調値を示す第３のデータを獲得して前記画像表示を行うステップとを含む。
【００１５】
本発明に係るディスプレイの画像表示方法において、前記第１の色、第２の色、及び第３の色は、それぞれ赤色、青色、緑色であることが好ましい。
【００１６】
本発明に係るディスプレイの画像表示方法において、前記画素配列は、ｄｅｌｔａ画素配列によるものであることが好ましい。
【００１７】
本発明に係るディスプレイの画像表示方法において、前記基本画素ユニットは、２行３列の６つの画素を含むと共に、４つのサブピクセル列を有することが好ましい。
【００１８】
本発明に係るディスプレイの画像表示方法において、前記基本画素ユニットは、第１行における左から右に配列される第１の画素、第２の画素、及び第３の画素と、第２行における左から右に配列される第４の画素、第５の画素、及び第６の画素とを含み、第２の画素〜第５の画素は２つの隣り合う水平行にそれぞれ位置する異色のサブピクセルにより構成され、第１の画素及び第６の画素は同一列にそれぞれ位置するが１つの水平行を間隔する異色のサブピクセルにより構成されることが好ましい。
【００１９】
本発明に係るディスプレイの画像表示方法において、前記第２のデータは、割合マトリクスであり、各基本画素ユニットに対して、前記基本画素ユニットに対応する前記第２のデータを確定する場合、前記基本画素ユニットの各画素のために割合ベクトルを確定して、前記割合ベクトルに基づいて前記割合マトリクスを確定することが好ましい。
【００２０】
本発明に係るディスプレイの画像表示方法において、前記画素の前記割合ベクトルは、第１のサブピクセル、第２のサブピクセル、及び第３のサブピクセルの前記画素での割合係数をそれぞれ示す３つの分量を有し、前記割合マトリクスを得るように、各前記割合ベクトルにおける同一位置の前記分量をそれぞれ獲得することが好ましい。
【００２１】
本発明に係るディスプレイの画像表示方法において、前記割合マトリクスを獲得した後、前記基本画素ユニットにおける各サブピクセルに対して、当該サブピクセルが存在する画素の表示に必要な階調値に前記割合マトリクスにおいて対応するマトリクス要素値をそれぞれかけて、当該サブピクセルの前記画素配列における表示階調値を獲得することが好ましい。
【００２２】
本発明に係るディスプレイの画像表示方法において、前記色のサブピクセルの全体が１つの前記画素の画素空間に位置する場合，前記画素における前記色のサブピクセルの前記割合係数が「１」に設定され、前記色のサブピクセルが前記画素の画素空間に位置しない場合、前記画素における前記色のサブピクセルの前記割合係数が「０」に設定されることが好ましい。
【００２３】
本発明に係るディスプレイの画像表示方法において、前記色のサブピクセルの大部分が前記画素の画素空間に位置する場合、前記画素における前記色のサブピクセルの前記割合係数が０．５より大きい第１の割合係数であり、前記色のサブピクセルの小部分が前記画素の画素空間に位置する場合、前記画素における前記色のサブピクセルの前記割合係数が０．５より小さい第２の割合係数であり、前記第１の割合係数と第２の割合係数との和が１であることが好ましい。
【００２４】
本発明に係るディスプレイの画像表示方法において、前記第１の割合係数は、０．７に設定されることが好ましい。
【００２５】
本発明に係るディスプレイの画像表示方法において、前記色のサブピクセルの一部分が前記画素の画素空間に位置する場合、前記画素における前記色のサブピクセルの前記割合係数が０．５に設定されることが好ましい。
【００２６】
また、本発明の第２の態様に係るディスプレイであって
画素領域、及び非画素領域を有する基底と、
画素領域に位置し、第１の電極、有機薄層、及び第２の電極を含む有機発光ダイオードと、
有機発光ダイオードを駆動するための駆動部とを含み、
前記画素領域の画素配列は、複数の基本画素ユニットが水平方向、及び垂直方向に沿って繰り返されることにより構成され、前記画素配列は、少なくとも２つの異なる画素の画素空間にあるサブピクセルを有し、且つ、第１の色の第１のサブピクセル、第２の色の第２のサブピクセル、及び第３の色の第３のサブピクセルを含むディスプレイであって、
前記駆動部は、
前記ディスプレイに表示しようとするカラー画像を示す画像信号を入力するための入力ユニットと、
前記画像において各色が存在する位置及び表示に必要な階調値を示す第１のデータをそれぞれ獲得し、さらに各色の前記画素配列における各画素が占められる空間割合を示す第２のデータをそれぞれ獲得し、各前記画素に含まれる各前記サブピクセルに対して、前記第１のデータ及び前記第２のデータに基づいて、前記画素の各前記サブピクセルの前記画素配列における表示階調値を示す第３のデータを得るサブピクセル表示ユニットと、
前記第３のデータに基づいて生成された複数の電気信号を前記ディスプレイに出力するための出力ユニットとを含む。
【００２７】
本発明の実施例のディスプレイにおいて、前記第１の色、第２の色、及び第３の色は、それぞれ赤色、青色、緑色であることが好ましい。
【００２８】
本発明の実施例のディスプレイにおいて、前記画素配列は、ｄｅｌｔａ画素配列によるものであることが好ましい。
【００２９】
本発明の実施例のディスプレイにおいて、前記基本画素ユニットは、２行３列の６つの画素を含むと共に、４つのサブピクセル列を有することが好ましい。
【００３０】
本発明の実施例のディスプレイにおいて、前記基本画素ユニットは、第１行における左から右に配列される第１の画素、第２の画素、及び第３の画素と、第２行における左から右に配列される第４の画素、第５の画素、及び第６の画素とを含み、第２の画素〜第５の画素は２つの隣り合う水平行にそれぞれ位置する異色のサブピクセルにより構成され、第１の画素及び第６の画素は同一列にそれぞれ位置するが１つの水平行を間隔する異色のサブピクセルにより構成されることが好ましい。
【００３１】
本発明の実施例のディスプレイにおいて、前記第２のデータは、割合マトリクスであり、各基本画素ユニットに対して、前記基本画素ユニットに対応する前記第２のデータを確定する場合、前記基本画素ユニットの各画素のために１つの割合ベクトルを確定して、前記割合ベクトルに基づいて前記割合マトリクスを確定することが好ましい。
【００３２】
本発明の実施例のディスプレイにおいて、前記画素の前記割合ベクトルは、第１のサブピクセル、第２のサブピクセル、及び第３のサブピクセルの前記画素での割合係数をそれぞれ示す３つの分量を有し、前記割合マトリクスを得るように各前記割合ベクトルにおける同一位置の前記分量をそれぞれ獲得することが好ましい。
【００３３】
本発明の実施例のディスプレイにおいて、前記割合マトリクスを獲得した後、前記基本画素ユニットにおける各サブピクセルは、当該サブピクセルが存在する画素の表示に必要な階調値に前記割合マトリクスにおいて対応するマトリクス要素値をそれぞれかけて、当該サブピクセルの前記画素配列における表示階調値を獲得することが好ましい。
【００３４】
本発明の実施例のディスプレイにおいて、前記色のサブピクセルの全体が１つの前記画素の画素空間に位置する場合，前記画素における前記色のサブピクセルの前記割合係数が「１」に設定され、前記色のサブピクセルが前記画素の画素空間に位置しない場合、前記画素における前記色のサブピクセルの前記割合係数が「０」に設定されることが好ましい。
【００３５】
本発明の実施例のディスプレイにおいて、前記色のサブピクセルの大部分が前記画素の画素空間に位置する場合、前記画素における前記色のサブピクセルの前記割合係数が０．５より大きい第１の割合係数であり、前記色のサブピクセルの小部分が前記画素の画素空間に位置する場合、前記画素における前記色のサブピクセルの前記割合係数が０．５より小さい第２の割合係数であり、前記第１の割合係数と第２の割合係数との和が１であることが好ましい。
【００３６】
本発明の実施例のディスプレイにおいて、前記第１の割合係数は、０．７に設定されることが好ましい。
【００３７】
本発明の実施例のディスプレイにおいて、前記色のサブピクセルの一部分が前記画素の画素空間に位置する場合、前記画素における前記色のサブピクセルの前記割合係数が０．５に設定されることが好ましい。
【発明の効果】
【００３８】
本発明によれば、以下のような作用効果が獲得できる。
本発明のディスプレイは、サブピクセルを節約できるとともに、従来技術の画素配列に存在する画面エッジがぼんやりし、飽和度が良くないという欠陥を克服することができる。そして、本発明に係るディスプレイの画像表示方法は、例えば、文字表示を主とする応用や、画像表示を主とする応用などのディスプレイ表示の異なる状況を区別して対応でき、それぞれの満足な表示効果を獲得することができる。
【図面の簡単な説明】
【００３９】
【図１】従来技術の隣り合う画素の借用方法の模式図である。
【図２】従来技術の隣り合う画素の借用方法により矢印を表示する表示効果図である。
【図３】従来技術の隣り合う画素の借用方法により矢印を表示する画素効果模式図である。
【図４】従来技術の隣り合う画素の借用方法により矢印を表示する画素模式図である。
【図５】従来技術の隣り合う画素の借用方法により文字を表示する表示効果図である。
【図６】従来技術の隣り合う画素の借用方法により白い矢印を表示する画素効果図である。
【図７】本発明の実施例に係るディスプレイの模式図である。
【図８】本発明の実施例に係るディスプレイの画素配列の模式図である。
【図９】図８に示すような画素配列の基本画素ユニットの模式図である。
【図１０】本発明の第２の実施例に係る表示方法により画像を表示する表示効果図である。
【図１１】本発明の第２の実施例に係る表示方法により図１０の画像を表示する第１種類の画素効果図の一部である。
【図１２】本発明の第２の実施例に係る表示方法により図１０の画像を表示する第１種類の画素効果図の一部である。
【図１３】本発明の第２の実施例に係る表示方法により図１０の画像を表示する第１種類の画素効果図の一部である。
【図１４】本発明の第２の実施例に係る表示方法により赤色の縦線を表示する第１種の画素模式図である。
【図１５】本発明の第２の実施例に係る表示方法により赤色の縦線を表示する第２種の画素模式図である。
【図１６】本発明の第２の実施例に係る表示方法により赤色の縦線を表示する第３種の画素模式図である。
【図１７】本発明の第１の実施例に係る表示方法により矢印を表示する画素模式図である。
【図１８】本発明の第１の実施例に係る表示方法により矢印を表示する表示効果図である。
【図１９】本発明の第１の実施例に係る表示方法により矢印を表示する画素効果図である。
【図２０】本発明の第１の実施例に係る表示方法により文字を表示する表示効果模式図である。
【図２１】本発明の第１の実施例に係る表示方法により白い矢印を表示する画素効果図である。
【発明を実施するための形態】
【００４０】
以下、本発明の特徴と利点を表す典型的な実施例を詳細に説明する。なお、本発明は、異なる実施例に対して各種の変形を行うことができ、何れも本発明の範囲に属するものである。また、実施例における説明と図面は、本質上、本発明を詳しく説明するためのものであり、本発明を制限するためのものではない。
【００４１】
本発明の各実施例に係る表示方法（又は、具現方法と称する）は、本発明の実施例に係るディスプレイに適用することができる。本発明のディスプレイは、携帯電話のディスプレイに適用することが好ましく、携帯電話のＡＭＯＬＥＤディスプレイに適用することがより好ましい。
【００４２】
図７は、本発明のディスプレイ装置の模式図である。ディスプレイ装置は、ＯＬＥＤディスプレイ装置２０である。図７を参照すると、ＯＬＥＤディスプレイ装置２０は、少なくとも表示ユニット２００、走査駆動部２２０、データ駆動部２３０を含む。ＯＬＥＤディスプレイ装置２０は、他のデバイス及び／又は素子を含んでも良い。
【００４３】
表示ユニット２００は、走査線（Ｓ１〜Ｓｎ）、発光制御線（ＥＭ１〜ＥＭｎ）、及びデータ線（Ｄ１〜Ｄｎ）に接続される複数の画素ドット２１０を含んでも良い。さらに、１つの画素ドット２１０は、１つのＯＬＥＤを備え、例えば、赤と緑、赤と青、又は、緑と青などの異色の光を出射するための２つのサブピクセルから構成されてもよい。
【００４４】
表示ユニット２００は、外部から供給される第１のパワーソース（ＥＬＶｄｄ）及び外部から供給される第２のパワーソース（ＥＬＶｓｓ）に対応するように画像を表示することができる。表示ユニット２００は、さらに、走査駆動部２２０により生成される走査線Ｓ１〜Ｓｎからの走査信号、発光制御線ＥＭ１〜ＥＭｎからの発光制御信号、及びデータ駆動部２３０により生成されるデータ線Ｄ１〜Ｄｍからのデータ信号に対応する画像を表示することもできる。
【００４５】
走査駆動部２２０は、走査信号及び発光制御信号を生成することができる。走査駆動部２２０により生成される走査信号は、走査線（Ｓ１〜Ｓｎ）に順次に供給され、発光制御信号は、各発光制御線（ＥＭ１〜ＥＭｎ）に順次に供給される。また、走査信号及び発光信号は、走査線Ｓ１〜Ｓｎ及び発光制御線ＥＭ１〜ＥＭｎに非順次に供給されても良い。他の実施例において、発光制御信号は、発光制御駆動部により生成されても良い。
【００４６】
データ駆動部２３０は、例えばＲＧＢデータ等の入力信号を受信することができるとともに、受信した入力信号に対応するデータ信号を生成することができる。データ駆動部２３０により生成されたデータ信号は、走査信号に同期するように、データ線（Ｄ１〜Ｄｍ）を介して画素ドット２１０に供給されても良く、走査信号に同期しないように、データ線Ｄ１〜Ｄｍに供給されても良い。
【００４７】
また、画素配列における各同色のサブピクセル行は、走査駆動部から信号を供給され、画素配列における各異色のサブピクセル列は、データ駆動部から信号を供給される。
【００４８】
以下、図８に示すような画素配列を例として、本発明の２つの実施例に係るディスプレイの画像表示方法を説明する。図９は、図８に示すような画素配列の基本画素ユニット３０である。図８に示すような画素配列において、当該画素配列は、行周期が２であり、列周期が３であるｄｅｌｔａ分布の画素配列である。本発明に係るディスプレイの画像表示方法は、ｄｅｌｔａ配列に応用される画素配列に限定されない。他の画素配列方式の画素配列に適用してもよい。
【００４９】
図８において、第１行のサブピクセルのすべてが赤色のサブピクセルＲであり、第２行のサブピクセルのすべてが青色のサブピクセルＢであり、第３行のサブピクセルのすべてが緑色のサブピクセルＧである。以下、順次に循環する。そして、本発明に係るディスプレイ及び表示方法は、上記の画素配列に限定されない。例えば、第１行のサブピクセルは、緑色のサブピクセル及び青色のサブピクセルであってもよい。
【００５０】
図９に示すような画素配列は、実質上、２つのサブピクセルで１つの画素２１０を具現する。図９において、画素２１０を構成する２つのサブピクセルは、楕円形の破線でマークされた。
【００５１】
図８に示すような画素配列は，複数の図９に示すような基本画素ユニット３０が水平方向、及び垂直方向に沿って繰り返されることによって構成される。各基本画素ユニット３０は、２行３列の６つの画素を含み、具体的には、第１行における左から右に配列される第１の画素Ｐ１１、第２の画素Ｐ１２、及び第３の画素Ｐ１３と、第２行における左から右に配列される第４の画素Ｐ２１、第５の画素Ｐ２２、及び第６の画素Ｐ２３とを含む。ここで、第２の画素Ｐ１２〜第５の画素Ｐ２２は、それぞれ２つの隣り合う水平行に位置する異色のサブピクセルにより構成される。また、第１の画素Ｐ１１と第６の画素Ｐ２３とは、それぞれ同一列に位置するが１つの水平行を間隔する異色のサブピクセルにより構成される。図９から分かるように、画素マトリクスの基本ユニット３０において、赤色のサブピクセルＲ１２、緑色のサブピクセルＧ１３、及び青色のサブピクセルＢ２２は、２つの異なる画素の画素空間にある。
【００５２】
図９に示すように、第１の画素Ｐ１１の２つのサブピクセルと第４の画素Ｐ２１の青色のサブピクセルＢ２１とは、垂直方向において第１の間隔をもって上から下に順次に第１列を構成する。
【００５３】
第２の画素Ｐ１２における青色のサブピクセルＢ１２、第４の画素Ｐ２１における赤色のサブピクセルＲ２１、及び第５の画素Ｐ２２における緑色のサブピクセルＧ２２は、垂直方向において第１の間隔をもって上から下に順次に第２列を構成する。上記第２列と上記第１列とは、水平方向において第２の間隔をもってずらす。基本画素ユニット３０において、図９に示すように、すべて４つのサブピクセル列を有する。
【００５４】
より具体的には、同一の画素ドットを構成される２つのサブピクセルの間に混色を発生しないように、上記第１の間隔が１つのサブピクセルの高さより小さく、上記第２の間隔が０以上であってもよい。
【００５５】
三原色である場合のみ、すべての色を再現することができるが、２種類の色ではすべての色を再現することが不可能であるため、実際に画像を表示する場合、１つの画素は、他の画素の他の１種類の色を含んで三原色を構成し、協力して白色を表示する効果を達成する。本発明の実施例に係る表示方法は、各色が前記画素において占められる割合、及び当該色が原画像における所在位置及び階調値を算出することにより、画素マトリクスにおける当該色の表示階調値を確定する。
【００５６】
第１の実施例
本実施例において、まず、表示待機画像における各色の位置と表示に必要な階調値を表示するデータを獲得する。例えば、赤色の場合、画素Ｐ１１〜Ｐ２３における表示に必要な階調値は、Ｒ′１１、Ｒ′１２、Ｒ′１３、Ｒ′２１、Ｒ′２２、Ｒ′２３であるとする。
【００５７】
その後、各色のサブピクセルが各画素で占められる割合の割合ベクトルを得り、各割合ベクトルは、赤色のサブピクセル、緑色のサブピクセル、及び青色のサブピクセルのそれぞれが上記画素における割合係数を表示する３つの分量を備える。
【００５８】
ここで、「割合」とは、占められる空間の割合である。従って、本発明の実施例において使用された補償アルゴリズムは、「占める空間アルゴリズム」と称してもよい。なお、本発明の実施例に係る表示方法において、サブピクセルの画素空間における割合係数を正確に計算する必要がなく、当該画素の画素空間内に当該色のサブピクセルがあるか否かを判断だけである。当該色のサブピクセルの全体が当該画素の画素空間（面積の概念であり、体積の概念ではない）に位置する場合，割合係数が「１」に設定され、当該色のサブピクセルの全体が当該画素の画素空間に位置しない場合、割合係数が「０」に設定され、当該色のサブピクセルの一部が当該画素の画素空間に位置する場合、その大部分が当該画素の画素空間に位置しても、小部分が当該画素の画素空間に位置しても、割合係数が「０．５」に設定される。
【００５９】
上記から分かるように、図９に示すような基本画素ユニット３０の６つの画素Ｐ１１、Ｐ１２、Ｐ１３、Ｐ２１、Ｐ２２、Ｐ２３の各割合ベクトルは、それぞれ
Ｐ１１（１、１、０）、Ｐ１２（０．５、０．５、１）、Ｐ１３（０．５、０．５、１）
Ｐ２１（０、０、１）、Ｐ２２（１、１、０．５）、Ｐ２３（１、１、０．５）
である。
【００６０】
割合マトリクスを得るように、各上記割合ベクトルにおける同一位置の分量をそれぞれ取る。割合マトリクスは、各色の上記画素配列における各画素に占められた空間割合のデータを表示する。従って、次式が得られる。即ち、
【００６１】
【数２】
2016186629.tif 000004
【００６２】
割合マトリクスを獲得した後、上記基本画素ユニット３０内の各サブピクセルに対しては、当該サブピクセルが存在する画素の表示に必要な階調値に、上記割合マトリクスにおいて対応するマトリクス要素値をそれぞれかけて、当該サブピクセルの上記画素配列における表示階調値を獲得する。具体的には、以下の通りである。
【００６３】
Ｒ１１＝Ｒ′１１；Ｒ１２＝０．５Ｒ′１２＋０．５Ｒ′１３
Ｒ２１＝Ｒ′２２；Ｒ２３＝Ｒ′２３
Ｇ１１＝Ｇ′１１；Ｇ１３＝０．５Ｇ′１２＋０．５Ｇ′１３
Ｇ２２＝Ｇ′２２；Ｇ２３＝Ｇ′２３
Ｂ１２＝Ｂ′１２；Ｂ１３＝Ｂ′１３
Ｂ２１＝Ｂ′２１；Ｂ２２＝０．５Ｂ′２２＋０．５Ｂ′２３
上記各公式において、Ｒは、画素配列における赤色が存在する位置及び階調値であり、Ｒ′は、原画像における赤色が存在する位置及び階調値であり、Ｇは、画素配列における緑色が存在する位置及び階調値であり、Ｇ′は、原画像における緑色が存在位置及び階調値であり、Ｂは、画素配列における青色が存在する位置及び階調値であり、Ｂ′は、原画像における青色が存在する位置及び階調値である。
【００６４】
第２の実施例
本実施例の上記実施例と同じ部分は贅言しない。
【００６５】
本実施例と上記実施例との異なることは、本実施例の表示方法においても、当該画素の画素空間の百分率を正確に計算する必要なく、当該画素の画素空間内に当該色のサブピクセルがあるか否かを判断する。当該色のサブピクセルの全体当該画素の画素空間（面積の概念であり、体積の概念ではない）に位置する場合、割合係数が「１」に設定され、当該色のサブピクセルの全体が当該画素の画素空間に位置しない場合、割合係数が「０」に設定され、当該色のサブピクセルの一部が当該画素の画素空間に位置する場合、その大部分が当該画素の画素空間に位置するか、それとも小部分が当該画素の画素空間に位置するかを判断必要があり、その大部分が当該画素の画素空間に位置する場合、割合係数が０．５より大きい「０．７」に設定されてもよく、小部分が当該画素の画素空間に位置する場合、割合係数が０．５より小さい「０．３」に設定されてもよい。つまり、両者の和は、１である。
【００６６】
上記から分かるように、本実施例において、図９に示す基本画素ユニット３０の６つの画素のように、その赤、緑、青のサブピクセルが各画素で占められる割合の割合ベクトルは、それぞれ
Ｐ１１（１，１，０）、Ｐ１２（０．７，０．７，１）、Ｐ１３（０．３，０．３，１）
Ｐ２１（０，０，１）、Ｐ２２（１，１，０．７）、Ｐ２３（１，１，０．３）
である。
【００６７】
従って、割合ベクトルに基づいて獲得される割合マトリクスは、
【００６８】
【数３】
2016186629.tif 000005
【００６９】
である。
本実施例の表示方法により、確定された各サブピクセルの画素マトリクスにおける表示階調値は、
Ｒ１１＝Ｒ′１１；Ｒ１２＝０．７Ｒ′１２＋０．３Ｒ′１３
Ｒ２１＝Ｒ′２２；Ｒ２３＝Ｒ′２３
Ｇ１１＝Ｇ′１１；Ｇ１３＝０．７Ｇ′１２＋０．３Ｇ′１３
Ｇ２２＝Ｇ′２２；Ｇ２３＝Ｇ′２３
Ｂ１２＝Ｂ′１２；Ｂ１３＝Ｂ′１３
Ｂ２１＝Ｂ′２１；Ｂ２２＝０．７Ｂ′２２＋０．３Ｂ′２３
である。
【００７０】
以上の２つの実施例から分かるように、同一の画素空間において、同色のサブピクセルの割合は、最大値が１であり、最小値が０であり、異色のサブピクセルの割合の和は、２である。
【００７１】
次に、本発明の２つの実施例に係る表示方法のいくつか具体的な画像の表示状況をさらに説明する。
【００７２】
まず、第２の実施例に係る表示方法により図１０に示すような画像を表示することを例に挙げて説明する。図１０の画像において、枠線の幅は、３つの画素であり、内部の横線の幅は、１〜７つの画素で増加するように構成され、内部の縦線の幅も１〜７つの画素で増加するように構成される。画像面積を考慮して、図１１〜図１３は、図１０に示すような画像の画素効果図の一部を示す図である。図１３に示すように、その中の１列の低階調レベルのサブピクセル列は、表示できない。図１０の画像は、赤色で表示するが、本発明がそれに限定しない。青色や、緑色で表示する場合、同じ効果を有する。ここでは赤色を例に挙げて説明する。
【００７３】
図１１〜図１３に示すように、本発明の第２の実施例に係る表示方法を使用して表示する場合、線の幅が１つの画素である縦線は、３種類の表示方法を有する。図９に示すような画素配列の横方向の画素の周期が３つの列であるため、３種類の異なる縦線を表示できる。３種類の異なる縦線は、赤色のサブピクセルを例に挙げて、それぞれ図１４〜図１６に示される。
【００７４】
図１４に示すように、第１種の縦線が表示される場合、１つの赤色のサブピクセル列のみで表示するとともに、１行を間隔して１つの赤色のサブピクセルを点灯し、表示に必要な赤色の階調値の１００％で表示する。
【００７５】
図１５に示すように、第２種の縦線が表示される場合、２つの赤色のサブピクセル列でそれぞれ表示し、ここで、１列の赤色のサブピクセルは、表示に必要な赤色の階調値の１００％で表示し、他の１列の赤色のサブピクセル（図の左から第３列）は、第２の実施例に係る表示方法により表示に必要な赤色の階調値の７０％で表示し、即ち、実際に表示する階調値は、原画像における赤色の階調値の０．７倍である。
【００７６】
図１６に示すように、第３種の縦線が表示される場合、２つの赤色のサブピクセル列でそれぞれ表示し、ここで、１列の赤色のサブピクセルは、表示に必要な赤色の階調値の１００％で表示し、他の１列のサブピクセル（図の左から第３列）は、第２の実施例に係る表示方法により表示も必要な赤色の階調値の３０％で表示し、即ち、実際に表示する階調値は、原画像における赤色の階調値の０．３倍である。
【００７７】
１つの画素の幅の横線を表示する場合、２つの異なる表示方式のみがある。２種類の表示方式はすべてが同一のサブピクセル行で表示するが、他の幅の横線を表示する場合、実際に発光するサブピクセルの行数が当該横方向の線に含まれる画素の個数に等しい。例えば、表示幅が４つの画素の横線であれば、実際に発光するサブピクセルが４行である。縦線を表示する場合、実際に発光するサブピクセルの行数は、多くの場合、当該縦線の幅に含まれる画素の個数に等しくない。
【００７８】
以上、本発明の第２の実施例に係る表示方法による表示線の例を説明したが、以下、本発明の第１の実施例に係る表示方法による表示矢印の例をさらに説明する。
【００７９】
図１７に示すように、図９に示すような画素配列が本発明の第１の実施例に係る表示方法を応用して緑色の矢印を表示する場合、矢印が覆う領域の大部分の緑色のサブピクセルは、表示に必要な緑色の階調値の１００％で表示し、ある境界の場合、緑色のサブピクセルは、表示に必要な赤色の階調値の５０％で表示する。ここで、第１行第１列の画素における緑色のサブピクセルＧ０１０１、第７行第７列の画素における緑色のサブピクセルＧ０７０７、第５行第１６列の画素における緑色のサブピクセルＧ０５１６を含む。
【００８０】
また、図１８は、本発明の第１の実施例に係る表示方法により矢印を表示する表示効果図である。図１９は、本発明の第１の実施例に係る表示方法により矢印を表示する画素効果図である。図２０は、本発明の第１の実施例に係る表示方法により文字を表示する表示効果模式図である。図２１は、本発明の第１の実施例に係る表示方法により白い矢印を表示する画素効果図である。図１８〜図２１をそれぞれ図２、図３、図５、及び図６と比較すると、本発明の表示方法の従来技術の表示方法に対する技術効果を分かる。従って、本発明の表示方法によれば、例えば、文字表示を主とする応用や、画像表示を主とする応用などのディスプレイ表示の異なる状況に対して、２つの実施例から適切な表示方法を選択でき、それぞれ満足な表示効果を獲得することができる。
【００８１】
本発明の実施例に係るディスプレイは、画素領域、及び非画素領域を備える基底と、画素領域に位置し、第１の電極、有機薄層、及び第２の電極を含む有機発光ダイオードと、有機発光ダイオードを駆動するための駆動部とを含む。本発明の実施例に係るディスプレイの画素領域における画素配列は、図８に示す画素配列であってもよいが、それに限定されない。
【００８２】
有機発光ダイオードを駆動するための駆動部は、入力ユニット、サブピクセル表示ユニット、及び出力ユニットを含む。本発明の上記実施例に係るディスプレイの画像表示方法は、上記サブピクセル表示ユニットにおいて実現される。
【００８３】
ここで、入力ユニットは、上記表示装置に表示される画像を示す画像信号を入力する。サブピクセル表示ユニットは、上記画像において各色が存在する位置及び表示に必要な階調値を示す画像データをそれぞれ獲得しし、さらに各色の上記画素配列における各画素が占められる空間割合を示す割合マトリクスをそれぞれ獲得し、各上記画素に含まれる各上記サブピクセルに対して、上記画像データ及び上記割合マトリクスに基づいて、上記画素の各上記サブピクセルの上記画素配列における表示階調値を示すサブピクセル表示データを得る。出力ユニットは、画像表示を行うように、上記サブピクセル表示データに基づいて生成された複数の電気信号を上記ディスプレイに出力する。
【００８４】
当業者は、本発明に付属される特許請求の範囲に開示された本発明の範囲及び主旨を逸脱しない範囲で実施する変更及び修正は、すべてが本発明の特許範囲に含まれるものであると考えるべきである。
【図１】
2016186629.tif 000006
【図２】
2016186629.tif 000007
【図３】
2016186629.tif 000008
【図４】
2016186629.tif 000009
【図５】
2016186629.tif 000010
【図６】
2016186629.tif 000011
【図７】
2016186629.tif 000012
【図８】
2016186629.tif 000013
【図９】
2016186629.tif 000014
【図１０】
2016186629.tif 000015
【図１１】
2016186629.tif 000016
【図１２】
2016186629.tif 000017
【図１３】
2016186629.tif 000018
【図１４】
2016186629.tif 000019
【図１５】
2016186629.tif 000020
【図１６】
2016186629.tif 000021
【図１７】
2016186629.tif 000022
【図１８】
2016186629.tif 000023
【図１９】
2016186629.tif 000024
【図２０】
2016186629.tif 000025
【図２１】
2016186629.tif 000026